(57)【要約】【課題】受座側の受金部とロックハンドル装置側の掛金部との係合深さを調整できる受座を提供する。【解決手段】固定枠体１の正面縁枠部２にビス３によって固着される調整プレート４と、調整プレート４が収容される窪み部８を底壁部７の背面に形成し、底壁部７の前面にロックハンドル装置本体５に向かって直線的に調整溝９を形成した受座本体６と、調整溝９に回転を阻止されて収容されるナット１０と、固定枠体１の内側から挿入され、調整プレート４の貫通孔１２と底壁部７の調整孔１３を通してナット１０に螺合される取付ボルト１４とからなる。調整プレート前面の突条１６と窪み部内底面の条溝１７を相係合させて、調整プレート４と受座本体６との相対的移動を阻止し、取付ボルト１４を締付けることによって、受座本体６を固定枠体１の正面縁枠部２に固着する。【選択図】図３
2007321455.tif 000002
【特許請求の範囲】
【請求項１】
回転変位を規制されて前記正面縁枠部２に当接され、正面側からビス３によって前記正面縁枠部２に締付け固着される調整プレート４と、
前記調整プレート４が収容される窪み部８を底壁部７の背面に形成し、前記底壁部７の前面にロックハンドル装置本体５に向かって直線的に調整溝９を形成してある受座本体６と、
前記調整溝９に回転を阻止されて収容されるナット１０と、
前記正面縁枠部２を前後方向に貫通する取付孔１１に固定枠体１の内側から挿入され、前記調整プレート４に形成した貫通孔１２と前記底壁部７に形成した調整孔１３を通して前記ナット１０に螺合される取付ボルト１４とからなり、
前記調整プレート４の前面に並設した複数個の突条１６と前記窪み部８の内底面に並設した複数本の条溝１７を相係合させることによって、前記調整プレート４と前記受座本体６との相対的移動を阻止し、前記取付ボルト１４を締付けることによって、前記受座本体６を前記正面縁枠部２に固着するようにした扉用ロックハンドル装置の受座。
【発明の詳細な説明】
【技術分野】
【０００１】
本発明は業務用冷蔵庫等の固定枠体に固着され、扉に固着されたロックハンドル装置の掛金部と係脱する受座に関するものである。。
【背景技術】
【０００２】
受座本体の底壁部の背面側に螺子孔を形成し、固定枠体の正面縁枠部に前後方向に貫通する取付孔を形成し、前記受座本体の回転変位を制止して受座本体を前記正面縁枠部に当接させ、前記固定枠体の内部から前記取付孔に挿入した前記取付ボルトの先端部を前記螺子孔に螺合することによって、前記受座本体を前記固定枠体にボルト接合する受座は既に知られている（特許文献１参照）。
【０００３】
このように構成された受座では、固定枠体の内部で作業員が作業している間に外部から誤って扉を閉鎖され、ロックハンドル装置のロック機能が発動されたとき、閉じ込められた作業員は、前記取付ボルトの内端部に連結されている操作盤部を回すことによって、前記ボルト接合を解除することができる。
このボルト接合の解除によって前記受座本体が前記正面縁枠部から脱落するため、閉じ込められた作業員は、ロックハンドル装置のロック機能を解除することなく、前記扉を内部から押すことによって扉を開放し安全に脱出することができる。
【０００４】
しかしながら、この内部解除型のボルト接合の受座では、前記螺子孔が前記受座本体の底壁部に直接形成されており、ボルト接合位置が一定不動のものであるため、受座をロックハンドル装置本体に対して進退させて、受座側の受金部とロックハンドル装置側の掛金部との係合深さを調整することができなかった。
【０００５】
【特許文献１】実公平５−２７６４６号公報
【発明の開示】
【発明が解決しようとする課題】
【０００６】
本発明の課題は、ロックハンドル装置本体に対して進退させて、受座側の受金部とロックハンドル装置側の掛金部との係合深さを調整できる受座を提供することである。
【課題を解決するための手段】
【０００７】
本発明の主たる特徴は、回転変位を規制されて前記正面縁枠部２に当接され、正面側からビス３によって前記正面縁枠部２に締付け固着される調整プレート４と、
前記調整プレート４が収容される窪み部８を底壁部７の背面に形成し、前記底壁部７の前面にロックハンドル装置本体５に向かって直線的に調整溝９を形成してある受座本体６と、
前記調整溝９に回転を阻止されて収容されるナット１０と、
前記正面縁枠部２を前後方向に貫通する取付孔１１に固定枠体１の内側から挿入され、前記調整プレート４に形成した貫通孔１２と前記底壁部７に形成した調整孔１３を通して前記ナット１０に螺合される取付ボルト１４とからなり、
前記調整プレート４の前面に並設した複数個の突条１６と前記窪み部８の内底面に並設した複数本の条溝１７を相係合させることによって、前記調整プレート４と前記受座本体６との相対的移動を阻止し、前記取付ボルト１４を締付けることによって、前記受座本体６を前記正面縁枠部２に固着することである。
【発明の効果】
【０００８】
本発明の受座では、固定枠体１の正面縁枠部２にビス３によって固着された調整プレート４は、受座本体６の底壁部７の窪み部８に収容されており、取付ボルト１４を緩めることによって調整プレート４の前面の突条１６と窪み部８の内底面の条溝１７との係合を外した状態では、受座本体６をロックハンドル装置本体５に対して進退調整させることができるものであり、受座本体６の進退調整の過程では底壁部７の調整溝９がナット１０に何ら干渉せずに同方向に変位し、取付ボルト１４の再締付けの過程では調整溝９の対向する溝壁面がナット１０の対向する二側面に当接して袋ナット１０の回転を阻止するため、受座側の受金部２２とロックハンドル装置側の掛金部２３との係合深さを的確に調整することができる。
【実施例】
【０００９】
図示の実施例では、調整プレート４の背面側には２個の位置決め突起２０が突設されており、位置決め突起２０は固定枠体１の正面縁枠部２に形成した２個の位置決め凹部２１に係合することによって、調整プレート４の回転変位を阻止する。
調整プレート４を正面縁枠部２に締付け固着する２本のビス３は、位置決め突起２０からずらせた位置に設けたビス孔９に挿入されている。
【００１０】
取付ボルト１４の螺子軸部が挿通される調整プレート４の貫通孔１２は円形孔に形成されており、調整プレート４の構造的強度を高めるようにしてある。取付ボルト１４の螺子軸部が通る受座本体６の調整孔１３は、底壁部７の窪み部８の中央部位に形成され、ロックハンドル装置本体５に対して真直ぐに形成されている。底壁部７の前面側の調整溝９も同方向に形成されている。
【００１１】
正面縁枠部２には外面と内面間を貫通する案内パイプ２４が埋設されており、取付孔１１は案内パイプ２４の内腔部によって構成されている。案内パイプ２４からの外部暖気の侵入や内部冷気の漏出を防止するため、正面縁枠部２の背面と操作晩５の根元部との間にはシール部材２５が挿入されている。取付ボルト１４の内端部に連結した操作盤１５は、円盤状に形成されている。
【００１２】
本実施例では、受金部２２は受座本体６とは分離して構成されており、受金部２２の背面に並設した突条２６と受座本体６の側壁部３４の前面に並設した複数本の条溝２７を係脱させることによって、受座本体６に対する受金部２２の連結位置を固定枠体１の前後方向に移動調節して、調節ボルト２８，２９の締付けによって所要位置に固着することができる。
【００１３】
一方の調節ボルト２８は、側壁部３４のスロット３２を通して受金部２２の螺子孔３０に螺合され、他方の調節ボルト２９は、受金部２２の割溝部３３を通して側壁部３４の螺子孔３１に螺合されている。ナット１０としては、主体部断面が正六角形の袋ナットが使用されている。
【００１４】
主体部の相対向する任意の一対の二側面が、前記調整溝９の対向する二つの溝壁面に係合することによって、ナット１０の回転阻止が行なわれている。そのため、閉じ込められた作業員が固定枠体１の内部から取付ボルト１４を回転操作するとき、ナット１０は連れ合い回転することがなく、取付ボルト１４の螺合解除が的確に行なえる。
【図面の簡単な説明】
【００１５】
【図１】本発明の一実施例に係る受座の使用状態における正面図であり、ロックハンドル装置本体との関係位置を示している。
【図２】図１の受座の使用状態における底面図であり、ロックハンドル装置本体との関係位置を示している。
【図３】図１のＡ−Ａ線に沿った拡大断面図である。
【図４】図１の受座の背面図である。
【図５】図１の受座の底面図である。
【図６】図１の受座の左側面図である。
【図７】図１の受座の右側面図である。
【図８】図４のＢ−Ｂ線断面図である。
【符号の説明】
【００１６】
１  固定枠体
２  固定枠体の正面縁枠部
３  調整プレートの固着用ビス
４  調整プレート
５  ロックハンドル装置本体
６  受座本体
７  受座本体の底壁部
８  底壁部背面の窪み部
９  底壁部前面の調整溝
１０  ナット
１１  正面縁枠部の取付孔
１２  調整プレートの貫通孔
１３  底壁部の調整孔
１４  取付ボルト
１５  取付ボルトの操作盤部
１６  調整プレート前面の突条
１７  窪み部内底面の条溝
１８  扉
１９  調整プレートのビス孔
２０  調整プレートの位置決め突起
２１  正面縁枠部の位置決め凹部
２２  受座の受金部
２３  ロックハンドル装置本体の掛金部
２４  正面縁枠部の案内パイプ
２５  案内パイプのシール部材
２６  受金部背面の突条
２７  受座本体前面の条溝
２８  調節ボルト
２９  調節ボルト
３０  受金部の螺子孔
３１  側壁部の螺子孔
３２  側壁部のスロット
３３  受金部の割溝部
３４  受座本体の側壁部
【図１】
2007321455.tif 000003
【図２】
2007321455.tif 000004
【図３】
2007321455.tif 000005
【図４】
2007321455.tif 000006
【図５】
2007321455.tif 000007
【図６】
2007321455.tif 000008
【図７】
2007321455.tif 000009
【図８】
2007321455.tif 000010
【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
回転変位を規制されて固定枠体１の正面縁枠部２に締付け固着される調整プレート４と、
前記調整プレート４が収容される窪み部８を底壁部７の背面に形成し、前記底壁部７の前
面にロックハンドル装置本体５に向かって直線的に調整溝９を形成してある受座本体６と、
前記調整溝９に回転を阻止されて収容されるナット１０と、
前記正面縁枠部２を前後方向に貫通する取付孔１１に固定枠体１の内側から挿入され、前
記調整プレート４に形成した貫通孔１２と前記底壁部７に形成した調整孔１３を通して前記ナット１０に螺合されることによって、前記受座本体６を前記正面縁枠部２に固着する取付ボルト１４とからなる扉用ロックハンドル装置の受座において、
前記調整プレート４に前後方向に貫通するビス孔９を形成し、正面側からビス３を前記ビス孔９に挿入して前記調整プレート４を前記正面縁枠部２に締付け固着し、前記調整プレート４を前記窪み部８に嵌め入れて前記受座本体１と前記調整プレートを組み立て、前記調整プレート４の前面に並設した複数個の突条１６と前記窪み部８の内底面に並設した複数本の条溝１７を相係合させて、前記調整プレート４と前記受座本体６との相対的移動を阻止し、前記取付ボルト１４の締付により前記受座本体６を前記正面縁枠部２に固着することを特徴とする扉用ロックハンドル装置の受座。
【手続補正２】
【補正対象書類名】明細書
【補正対象項目名】全文
【補正方法】変更
【補正の内容】
【発明の詳細な説明】
【技術分野】
【０００１】
本発明は業務用冷蔵庫等の固定枠体に固着され、扉に固着されたロックハンドル装置の掛
金部と係脱する受座に関するものである。。
【背景技術】
【０００２】
受座本体の底壁部の背面側に螺子孔を形成し、固定枠体の正面縁枠部に前後方向に貫通す
る取付孔を形成し、前記受座本体の回転変位を制止して受座本体を前記正面縁枠部に当接
させ、前記固定枠体の内部から前記取付孔に挿入した前記取付ボルトの先端部を前記螺子
孔に螺合することによって、前記受座本体を前記固定枠体にボルト接合する受座は既に知
られている（特許文献１参照）。
【０００３】
このように構成された受座では、固定枠体の内部で作業員が作業している間に外部から誤
って扉を閉鎖され、ロックハンドル装置のロック機能が発動されたとき、閉じ込められた
作業員は、前記取付ボルトの内端部に連結されている操作盤部を回すことによって、前記
ボルト接合を解除することができる。
このボルト接合の解除によって前記受座本体が前記正面縁枠部から脱落するため、閉じ込
められた作業員は、ロックハンドル装置のロック機能を解除することなく、前記扉を内部
から押すことによって扉を開放し安全に脱出することができる。
【０００４】
しかしながら、この内部解除型のボルト接合の受座では、前記螺子孔が前記受座本体の底
壁部に直接形成されており、ボルト接合位置が一定不動のものであるため、受座をロック
ハンドル装置本体に対して進退させて、受座側の受金部とロックハンドル装置側の掛金部
との係合深さを調整することができなかった。
【０００５】
【特許文献１】実公平５−２７６４６号公報
【発明の開示】
【発明が解決しようとする課題】
【０００６】
本発明の課題は、ロックハンドル装置本体に対して進退させて、受座側の受金部とロック
ハンドル装置側の掛金部との係合深さを調整できる受座を提供することである。
【課題を解決するための手段】
【０００７】
本発明の主たる特徴は、回転変位を規制されて固定枠体１の正面縁枠部２に締付け固着される調整プレート４と、
前記調整プレート４が収容される窪み部８を底壁部７の背面に形成し、前記底壁部７の前
面にロックハンドル装置本体５に向かって直線的に調整溝９を形成してある受座本体６と、
前記調整溝９に回転を阻止されて収容されるナット１０と、
前記正面縁枠部２を前後方向に貫通する取付孔１１に固定枠体１の内側から挿入され、前
記調整プレート４に形成した貫通孔１２と前記底壁部７に形成した調整孔１３を通して前記ナット１０に螺合されることによって、前記受座本体６を前記正面縁枠部２に固着する取付ボルト１４とからなる扉用ロックハンドル装置の受座において、
前記調整プレート４に前後方向に貫通するビス孔９を形成し、正面側からビス３を前記ビス孔９に挿入して前記調整プレート４を前記正面縁枠部２に締付け固着し、前記調整プレート４を前記窪み部８に嵌め入れて前記受座本体１と前記調整プレートを組み立て、前記調整プレート４の前面に並設した複数個の突条１６と前記窪み部８の内底面に並設した複数本の条溝１７を相係合させて、前記調整プレート４と前記受座本体６との相対的移動を阻止し、前記取付ボルト１４の締付により前記受座本体６を前記正面縁枠部２に固着することである。
【発明の効果】
【０００８】
本発明の受座では、前後方向に貫通するビス孔に挿入したビス３によって固定枠体１の正面縁枠部２に固着された調整プレート４は、受座本体６と調製プレート４との組立に当って、受座本体６の底壁部７の窪み部８に収容されており、取付ボルト１４を緩めることによって調整プレート４の前面の突条１６と窪み部８の内底面の条溝１７との係合を外した状態では、受座本体６をロックハンドル装置本体５に対して進退調整させることができるものであり、受座本体６の進退調整の過程では底壁部７の調整溝９がナット１０に何ら干渉せずに同方向に変位し、取付ボルト１４の再締付けの過程では調整溝９の対向する溝壁面がナット１０の対向する二側面に当接して袋ナット１０の回転を阻止するため、受座側の受金部２２とロックハンドル装置側の掛金部２３との係合深さを的確に調整することができる。
【実施例】
【０００９】
図示の実施例では、調整プレート４の背面側には２個の位置決め突起２０が突設されてお
り、位置決め突起２０は固定枠体１の正面縁枠部２に形成した２個の位置決め凹部２１に
係合することによって、調整プレート４の回転変位を阻止する。
調整プレート４を正面縁枠部２に締付け固着する２本のビス３は、位置決め突起２０から
ずらせた位置に設けたビス孔９に挿入されている。
【００１０】
取付ボルト１４の螺子軸部が挿通される調整プレート４の貫通孔１２は円形孔に形成され
ており、調整プレート４の構造的強度を高めるようにしてある。取付ボルト１４の螺子軸
部が通る受座本体６の調整孔１３は、底壁部７の窪み部８の中央部位に形成され、ロック
ハンドル装置本体５に対して真直ぐに形成されている。底壁部７の前面側の調整溝９も同
方向に形成されている。
【００１１】
正面縁枠部２には外面と内面間を貫通する案内パイプ２４が埋設されており、取付孔１１
は案内パイプ２４の内腔部によって構成されている。案内パイプ２４からの外部暖気の侵
入や内部冷気の漏出を防止するため、正面縁枠部２の背面と操作晩５の根元部との間には
シール部材２５が挿入されている。取付ボルト１４の内端部に連結した操作盤１５は、円
盤状に形成されている。
【００１２】
本実施例では、受金部２２は受座本体６とは分離して構成されており、受金部２２の背面
に並設した突条２６と受座本体６の側壁部３４の前面に並設した複数本の条溝２７を係脱
させることによって、受座本体６に対する受金部２２の連結位置を固定枠体１の前後方向
に移動調節して、調節ボルト２８，２９の締付けによって所要位置に固着することができ
る。
【００１３】
一方の調節ボルト２８は、側壁部３４のスロット３２を通して受金部２２の螺子孔３０に
螺合され、他方の調節ボルト２９は、受金部２２の割溝部３３を通して側壁部３４の螺子
孔３１に螺合されている。ナット１０としては、主体部断面が正六角形の袋ナットが使用
されている。
【００１４】
主体部の相対向する任意の一対の二側面が、前記調整溝９の対向する二つの溝壁面に係合
することによって、ナット１０の回転阻止が行なわれている。そのため、閉じ込められた
作業員が固定枠体１の内部から取付ボルト１４を回転操作するとき、ナット１０は連れ合
い回転することがなく、取付ボルト１４の螺合解除が的確に行なえる。
【図面の簡単な説明】
【００１５】
【図１】本発明の一実施例に係る受座の使用状態における正面図であり、ロックハンドル装置本体との関係位置を示している。
【図２】図１の受座の使用状態における底面図であり、ロックハンドル装置本体との関係位置を示している。
【図３】図１のＡ−Ａ線に沿った拡大断面図である。
【図４】図１の受座の背面図である。
【図５】図１の受座の底面図である。
【図６】図１の受座の左側面図である。
【図７】図１の受座の右側面図である。
【図８】図４のＢ−Ｂ線断面図である。
【符号の説明】
【００１６】
１  固定枠体
２  固定枠体の正面縁枠部
３  調整プレートの固着用ビス
４  調整プレート
５  ロックハンドル装置本体
６  受座本体
７  受座本体の底壁部
８  底壁部背面の窪み部
９  底壁部前面の調整溝
１０  ナット
１１  正面縁枠部の取付孔
１２  調整プレートの貫通孔
１３  底壁部の調整孔
１４  取付ボルト
１５  取付ボルトの操作盤部
１６  調整プレート前面の突条
１７  窪み部内底面の条溝
１８  扉
１９  調整プレートのビス孔
２０  調整プレートの位置決め突起
２１  正面縁枠部の位置決め凹部
２２  受座の受金部
２３  ロックハンドル装置本体の掛金部
２４  正面縁枠部の案内パイプ
２５  案内パイプのシール部材
２６  受金部背面の突条
２７  受座本体前面の条溝
２８  調節ボルト
２９  調節ボルト
３０  受金部の螺子孔
３１  側壁部の螺子孔
３２  側壁部のスロット
３３  受金部の割溝部
３４  受座本体の側壁部